(57)【要約】【課題】ランチジャーの蓋を取ったときに、蓋の底面に付着している結露水がテーブル上などに零れることを少なくする。【解決手段】ご飯などの食品を収容する容器２の開口部を密閉する蓋３の底面外周縁部分に、容器内空間に向けて突出する環状リブ６を設けるとともに、環状リブ６内方の蓋３底面５に複数の凹所７を形成する。これにより、蓋３を取って周辺に置くために蓋を傾けた場合に、蓋の底面５に付着している結露水を凹所７や環状リブ６の一部に水溜りとして保持し、周辺のテーブルなどを濡らすのを防止することができる。【選択図】  図１
2008289708.tif 000002
【特許請求の範囲】
【請求項１】
ご飯などの食品を収容する容器の開口部を密閉する蓋の底面外周縁部分に、容器内空間に向けて突出する環状リブを設けるとともに、環状リブ内方の蓋底面に複数の凹所を形成したことを特徴とするランチジャーの蓋構造。
【請求項２】
蓋の底面を中心部が容器内に膨出する凸面としたことを特徴とする請求項１記載のランチジャーの蓋構造。
【請求項３】
蓋の底面に、外周縁部分の環状リブよりも内方に、外周縁部分の環状リブと同心状に別の環状リブを設けるとともに、環状リブと同心状に環状の凹所を設けたことを特徴とする請求項１又は２記載のランチジャーの蓋構造。
【発明の詳細な説明】
【技術分野】
【０００１】
この発明は、断熱構造を備えたランチジャーの蓋に関し、蓋の底面に結露した水滴の滴下を防止する構造に関する発明である。
【背景技術】
【０００２】
断熱構造を備えたランチジャーにおいては、蓋の底面に結露を生じることを避けることはできない。蓋の底面に付着した結露水は、ご飯の上に滴下する他、蓋を取ったときに周辺に零れてテーブルの上などを濡らしてしまう欠点がある。この欠点を解消するため、従来から、特許文献１〜３に示すように、蓋底面の外周縁部分に水受けのための樋などを設ける構造が提案されている。
【特許文献１】実公昭３０−８８５９号公報
【特許文献２】実公昭３３−８６７号公報
【特許文献３】実公平０６−３７７２２号公報
【発明の開示】
【発明が解決しようとする課題】
【０００３】
特許文献１〜３に開示されている発明は、いずれも別部品を装着することによって、蓋の下端外周縁部分に露、結露水を受けるための樋状部分を形成している。このように、別部品を装着する場合は、それだけコストアップとなるとともに、樋状部分に集まった水滴が一定以上に達すると、蓋を取った場合に樋状部分の全周に溜められた水が一方に集まって多量の水が零れてしまう可能性があった。
【０００４】
上記、従来技術の欠点に鑑み本発明は、水受け部分を形成するために別部品を使用することなく、蓋の底面自体でなるべく水滴を保持させ、特に蓋を取った場合に周辺に結露水が零れるのを防止することができるランチジャーの蓋構造を工夫したものである。
【課題を解決するための手段】
【０００５】
上記目的を達成するため、請求項１記載の本発明は、ご飯などの食品４を収容する容器２の開口部を密閉する蓋３の底面外周縁部分に、容器２内空間に向けて突出する環状リブ６を設けるとともに、環状リブ６内方の蓋３の底面５に複数の凹所７,７を形成する。
【０００６】
請求項２記載の発明は、請求項１記載の構成に加えて、蓋３の底面５を中心部が容器内に膨出する凸面とすること、請求項３記載の発明は、蓋３の底面５に、外周縁部分の環状リブ６よりも内方に、外周縁部分の環状リブ６と同心状に別の環状リブ９を設けるとともに、環状リブ６や９と同心状に環状の凹所10,10を設けることである。
【発明の効果】
【０００７】
請求項１記載の発明によれば、蓋３の底面５に発生した結露水が、蓋３の底面５に形成した凹所７,７や外周縁部分に形成した環状リブ６に保持される。すなわち、発生した結露水が主として凹所７や環状リブ６の隅部分などに、表面張力によって保持される。  蓋３を取って傾けた場合にも複数の凹所７,７ごとに、表面張力によって水分が保持され、蓋３を開けて取り外す過程において、周辺へ水が零れ落ちるのを効果的に防止することができる。
このような、結露水を保持する効果を有するランチジャーの蓋３を、請求項１記載の発明では、従来のように別部品を用いることなく、蓋３の底面形状を工夫するだけで実現することができるため、コストダウンの効果があり、別部品を装着する構造に比較して安価に提供することができる。
【０００８】
請求項２記載の発明によれば、蓋３を取って傾けた場合に蓋３の底面５に存在する結露水や個々の凹所７，７から零れた水が外周縁部分の環状リブ６の方向に流れ易くテーブル上などへの水の落下をより効果的に防止することができる。請求項３記載の発明によれば、環状リブ６や９と環状の凹所10の組み合わせによって、より多くの水分を蓋３の底面５に保持させることができる。
【発明を実施するための最良の形態】
【０００９】
以下、本発明に係るランチジャーの蓋構造の実施形態を、添付の図面に基づいて説明する。
図１は本発明に係る蓋を装着したランチジャー全体の、一部を拡大して示す縦断面図、図２は図１に示す状態から蓋を取った状態を示すランチジャーであって、蓋の縦断面図である。
【００１０】
図１に示すランチジャーは、真空二重びんの保温容器１内に、ご飯などの食品Ａを収容する容器２を収容する。このとき、蓋３を容器２の開口部に螺着するとともに、蓋３を螺着した状態の容器２を保温容器１に収容し、その状態で携行することによって容器２内の保温状態が維持される。容器２内には、暖かい状態で食する食品４、主としてご飯を収容する。
【００１１】
容器２内の食品４を食する場合は、蓋３をした状態で容器２を保温容器１から取り出し、図２に示すように蓋３を取り外す。取り外した蓋３は、通常反転させながら周辺のテーブル上などに置いておく。図１に示す携行状態においては、ご飯などの食品４から発生する水蒸気が蓋３の底面５に結露するのが普通である。
【００１２】
図示実施形態のランチジャーでは、図１に示すように、蓋３の底面５の周縁部分に、下方すなわち容器２内の空間に向けて突出する環状リブ６を形成するとともに、底面５の複数位置に凹所７,７を形成している。下方に向けて突出する環状リブ６は、全周であることから短筒状となる。凹所７の具体的形状は特に拘るものではないが、例えば図４に示すように円形の凹所７とする他、図６に示すように角型の凹所８,８として形成することができる。凹所７や８は、一定の深さを有し、段部が形成される構造としている。
【００１３】
蓋３を取り外す場合、その過程において図２に示すように蓋３を傾け、最終的に反転させることになる。蓋３を傾けた状態では、蓋３の底面５に付着した結露水は図２に矢印で示すように、傾けた状態の下方に流れる。このとき、一部の水は蓋３の底面５に形成した凹所７に入り込み、主として凹所の隅部分に水溜りＡとなって保持されるとともに、一部の水は外周縁部分の環状リブ６の隅部分の水溜りＢとして保持される。水溜りＡやＢとして保持される水は、該部分における水の表面張力によって比較的多くの水分が保持されテーブルの上などに落下するのを防止することができる。
【００１４】
蓋３を開けて傾けることによって、結露水が蓋３の底面５を伝って流れる。この際、一つの凹所７に流れ込んだ水は表面張力の限界まで保持され、凹所７から溢れたものが別の凹所７に流れ込むといった現象を生じる。一つの凹所７において溢れる現象を生じるには、該部分における表面張力のバランスを破る量の水が流れ込む必要があり、一時的に比較的多量の水を保持する効果がある。すなわち、蓋３を開ける間の短時間の間、蓋３の底面５において確実に保持することができる水の量以上の水を保持し、テーブル上などが水で濡れるのを効果的に防止することができる。すなわち、保持することができる以上の水滴が発生しているとしても、水が零れるまでの間に時間的な遅れを生じ、蓋３を傾けてテーブルなどの上に置く短時間の間に水が零れるのを効果的に防止することができる。
なお、従来の別部品によって樋状の水溜部分を形成するものでは、既に樋に溜まっている水は、蓋を開けて傾けた場合に、樋内を流れ易く瞬時に樋部分から溢れる現象を生じる可能性がある。
【００１５】
図３に示す実施形態の蓋３は、底面５を凸面として形成している。底面５と凹所７や８は、図１において説明したものと共通であり、図４や図６のように蓋３の底面全体に配置することができる。蓋３の底面５に配置する凹所７，７の配列は、規則的で見栄えの良い状態に配置するが、中心部分から周辺方向へ流れる水が、その途中でいずれかの凹所７に流れ込むような配列にしてある。
【００１６】
図５に示す蓋の実施形態は、蓋３の底面５に形成する外周縁部分の環状リブ６よりも内方に、外周縁部分の環状リブと同心状に別の環状リブ９を設けるとともに、環状リブ６や９と同心状に環状の凹所10を設けるものである。環状リブ９と環状の凹所10の数及び配置は、図示例では環状リブ９と凹所を交互に二つ配置しているが、より細かい間隔で数多くの環状リブ９及び凹所を配置することもできる。一つの環状リブ９は比較的多量の水を保持させることができるため、より多くの環状リブ９，９及び凹所10，10を配置することによって、全体としてより多量の結露水を保持させることができる。
【図面の簡単な説明】
【００１７】
【図１】図１は、本発明に係る蓋を装着したランチジャー全体の、一部を拡大して示す縦断面図、
【図２】図２は図１に示す状態から蓋を取った状態を示すランチジャーであって、蓋の縦断面図、
【図３】図３は、別の実施形態を示す蓋の縦断面図、
【図４】図４は、蓋の底面図、
【図５】図５は、蓋の底面に環状リブと環状の凹所を配置する実施形態を示す蓋の底面図、
【図６】図６は、蓋の底面に配置する凹所の別の実施形態を示す蓋の底面図。
【符号の説明】
【００１８】
１…保温容器、  ２…容器、  ３…蓋、  ４…食品、  ５…底面、  ６…環状リブ、  ７，８…凹所、  ９…環状リブ、  10…凹所、  Ａ，Ｂ…水溜り。
【図１】
2008289708.tif 000003
【図２】
2008289708.tif 000004
【図３】
2008289708.tif 000005
【図４】
2008289708.tif 000006
【図５】
2008289708.tif 000007
【図６】
2008289708.tif 000008